(57)【要約】【課題】本発明は前面が中央部が後方に位置する凹部状となり、風の抵抗となるのを効率よく阻止して、揺れ動きを防止できるとともに、自然な形状に見せることができ、かつ大きな異なる左右方向の揺れ動きにも追従して、損傷するのを防止することができる壁用目地装置を得るにある。【解決手段】後端部が枢支され、先端部が左右方向に開放可能な補助目地プレートと、この補助目地プレートの両先端部に一端部が枢支され、他端部が左右の建物の目地部側の外壁躯体に枢支された、該補助目地プレート側が後方に位置する左右の目地プレートと、通常時には前記補助目地プレートの両先端部が当接した状態を保つように、該補助目地プレートの両先端部と前記左右の目地プレート間に設けられた少なくとも一対のストッパーと、前記補助目地プレートの先端部が開放した時に元の状態に自動的に戻すように付勢する一対の付勢スプリングとで壁用目地装置を構成している。【選択図】  図２
2004360277.tif 000002
【特許請求の範囲】
【請求項１】
後端部が枢支され、先端部が左右方向に開放可能な補助目地プレートと、この補助目地プレートの両先端部に一端部が枢支され、他端部が左右の建物の目地部側の外壁躯体に枢支された、該補助目地プレート側が後方に位置する左右の目地プレートと、通常時には前記補助目地プレートの両先端部が当接した状態を保つように、該補助目地プレートの両先端部と前記左右の目地プレート間に設けられた少なくとも一対のストッパーと、前記補助目地プレートの先端部が開放した時に元の状態に自動的に戻すように付勢する一対の付勢スプリングとからなることを特徴とする壁用目地装置。
【請求項２】
後端部が枢支され、先端部が左右方向に開放可能な補助目地プレートと、この補助目地プレートの先端部を常時当接するように付勢する付勢機構と、前記補助目地プレートの両先端部に一端部が枢支され、他端部が左右の建物の目地部側の該外壁躯体に枢支された、該補助目地プレート側が後方に位置する左右の目地プレートと、通常時には前記補助目地プレートの両先端部が当接した状態を保つように、該補助目地プレートの両先端部と前記左右の目地プレート間に設けられた少なくとも一対のストッパーとからなることを特徴とする壁用目地装置。
【請求項３】
後端部がスライド移動可能で、先端部が左右方向に開放可能な補助目地プレートと、この補助目地プレートの後端部を常時所定位置に位置させるように付勢する補助目地プレートの後端部の位置決め機構と、前記補助目地プレートの先端部を常時当接するように付勢する付勢機構と、前記補助目地プレートの両先端部に一端部が枢支され、他端部が左右の建物の目地部側の該外壁躯体に枢支された、該補助目地プレート側が後方に位置する左右の目地プレートと、通常時には前記補助目地プレートの両先端部が当接した状態を保つように、該補助目地プレートの両先端部と前記左右の目地プレート間に設けられた少なくとも一対のストッパーとからなることを特徴とする壁用目地装置。
【請求項４】
後端部が枢支され、先端部が左右方向に開放可能な補助目地プレートと、この補助目地プレートの両先端部に一端部が枢支され、他端部が左右の建物の目地部側の外壁躯体にスライド移動可能に取付けられたスライド移動体に枢支された、該補助目地プレート側が後方に位置する左右の目地プレートと、通常時には前記補助目地プレートの両先端部が当接した状態を保つように、該補助目地プレートの両先端部と前記左右の目地プレート間に設けられた少なくとも一対のストッパーと、前記補助目地プレートの先端部が開放した時に元の状態に自動的に戻すように付勢する一対の付勢スプリングとからなることを特徴とする壁用目地装置。
【発明の詳細な説明】
【０００１】
【発明の属する技術分野】
本発明は目地部を介して設けられた左右の建物の壁面間の目地部を覆う壁用目地装置に関する。
【０００２】
【従来の技術】
従来、山が２つ形成される屏風状の目地プレートの中央部と両端部とを枢支するリンク機構を左右の目地部側の外壁躯体に取付ける壁用目地装置が考えられている。
【０００３】
［特許文献］      特許３０２８５０５
【０００４】
【発明が解決しようとする課題】
従来の壁用目地装置は前面に２個以上山形形状に目地プレートが突出する形状となるため見苦しくなるとともに、その突出先端部には支持部がないため、風等によって揺れ動き、騒音の発生原因になるという欠点があった。
【０００５】
本発明は以上のような従来の欠点に鑑み、前面が中央部が後方に位置する凹部状となり、風の抵抗となるのを効率よく阻止して、揺れ動きを防止できるとともに、自然な形状に見せることができ、かつ大きな異なる左右方向の揺れ動きにも追従して、損傷するのを防止することができる壁用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は後端部が枢支され、先端部が左右方向に開放可能な補助目地プレートと、この補助目地プレートの両先端部に一端部が枢支され、他端部が左右の建物の目地部側の外壁躯体に枢支された、該補助目地プレート側が後方に位置する左右の目地プレートと、通常時には前記補助目地プレートの両先端部が当接した状態を保つように、該補助目地プレートの両先端部と前記左右の目地プレート間に設けられた少なくとも一対のストッパーと、前記補助目地プレートの先端部が開放した時に元の状態に自動的に戻すように付勢する一対の付勢スプリングとで壁用目地装置を構成している。
【０００８】
【発明の実施の形態】
以下、図面に示す実施の形態により、本発明を詳細に説明する。
【０００９】
図１ないし図８に示す本発明の第１の実施の形態において、１は目地部２を介して設けられた左右の建物３、３の外壁躯体３ａ、３ａ間の目地部２を覆う本発明の壁用目地装置で、この壁用目地装置１は後端部が枢支され、先端部が左右方向に開放可能な補助目地プレート４と、この補助目地プレート４の両先端部に一端部が枢支され、他端部が前記左右の建物３、３の目地部側の外側寄りの外壁躯体３ａ、３ａにヒンジ部材５、５で枢支された先端部が閉じた前記補助目地プレート４側が後方に位置する９０゜〜１７０゜の範囲の角度となるように配置される左右の目地プレート６、６と、通常時には前記補助目地プレート４の両先端部が当接した状態を保つように、該補助目地プレート４の両先端部と前記左右の目地プレート６、６間に設けられた、少なくとも一対のストッパー７、７と、前記補助目地プレート４の先端部が開放した時に元の状態に自動的に戻すことができるように付勢する、少なくとも一対以上の付勢スプリング８、８とで構成されている。
【００１０】
前記補助目地プレート４は図４に示すように、前記目地部２の幅寸法のほぼ半分の幅寸法に形成された左右の補助目地プレート９、９と、この左右の補助目地プレート９、９の先端部を左右方向に１８０゜以下の範囲で開放できるように後端部を枢支するヒンジ部材１０とで構成されている。
【００１１】
前記左右の目地プレート６、６は図５に示すように、前記目地部２の幅寸法の半分以上の幅寸法に形成された左右の目地プレート本体１１、１１と、この左右の目地プレート本体１１、１１の一端部には前記補助目地プレート４の両先端部の背面に取付けられるヒンジ部材１２、１２と、前記左右の目地プレート本体１１、１１の他端部に形成されたＣ字状の軸受部１３、１３が形成された固定側ヒンジ部材５の軸受部１３、１３に９０゜以下の範囲で回動可能に支持される玉縁形状の支持軸１４とで構成されている。
【００１２】
上記構成の壁用目地装置１は、通常状態では左右の目地プレート６、６があらかじめ設定された９０゜〜１７０゜の範囲の角度で目地部２を覆った状態となっている。
【００１３】
地震等によって目地部２が狭くなるように左右の建物３、３が揺れ動いた場合には、図６に示すように補助目地プレート４が後方へ左右の目地プレート６、６によって押し付けられ、その揺れ動きを吸収する。
【００１４】
目地部２が広くなるように左右の建物３、３が揺れ動いた場合には、図７に示すように左右の目地プレート６、６によって、補助目地プレート４の先端部が少なくとも一対以上の付勢スプリング８、８の付勢力に抗して開放するように移動して、その揺れ動きを吸収する。
なお、揺れ動きが停止した場合には、少なくとも一対以上の付勢スプリング８、８および、少なくとも一対以上のストッパー７、７によって自動的に元の状態に戻る。
また、左右の建物３、３が異なる前後方向に揺れ動いても、図８に示すように左右の目地プレート６、６の他端部がヒンジ部材５、５で外壁躯体３ａ、３ａに取付けられているため、その揺れ動きもスムーズに吸収することができる。
【００１５】
【発明の異なる実施の形態】
次に、図９ないし図３３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１６】
図９ないし図１１に示す本発明の第２の実施の形態において、前記本発明の第１の実施の形態と主に異なる点は、両端部を玉縁形状の軸１５、１５、１５、１５を形成した左右の補助目地プレート９Ａ、９Ａ、この左右の補助目地プレート９Ａ、９Ａの後端部の軸１５、１５が９０゜以下の範囲で回動可能に支持するＣ字状の軸受部１６、１６が形成された支持部材１７とで構成する補助目地プレート４Ａと、この補助目地プレート４Ａの両先端部の軸１５、１５と９０゜以下の範囲で回動可能に支持するＣ字状の軸受部１８、１８を形成した左右の目地プレート６Ａ、６Ａとを用いた点で、このような補助目地プレート４Ａと左右の目地プレート６Ａ、６Ａを用いて構成した壁用目地装置１Ａにしても、前記本発明の第１の実施の形態と同様な作用効果が得られる。
【００１７】
図１２ないし図１５に示す本発明の第３の実施の形態において、前記本発明の第１の実施の形態と主に異なる点は、両端部が半円弧状のバー部材１９、１９を用いた補強枠２０、２０にプレート２１、２１を固定した左右の補助目地プレート９Ｂ、９Ｂ、この左右の補助目地プレート９Ｂ、９Ｂの後端部のバー部材１９、１９へ上下部に連結バー２２、２２を枢支ピン２３、２３、２３、２３で枢支させた補助目地プレート４Ｂと、両端部が半円弧状のバー部材２４、２４を用いた補強枠２５、２５にプレート２６、２６を固定した左右の目地プレート６Ｂ、６Ｂとを用い、この左右の目地プレート６Ｂ、６Ｂの一端部の上下部より外方へ突出する支持片２７、２７に枢支ピン２８、２８で前記左右の補助目地プレート９Ｂ、９Ｂの先端部に枢支するとともに、左右の目地プレート６Ｂ、６Ｂの他端部の上下部をアングル状の支持部材２９、２９によって外壁躯体３ａ、３ａにビス３０、３０等によって固定し、かつ左右の目地プレート６Ｂ、６Ｂの他端部を枢支ピン３１、３１で枢支した点で、このように構成した壁用目地装置１Ｂにしても、前記本発明の第１の実施の形態と同様な作用効果が得られる。
【００１８】
図１６ないし図１８に示す本発明の第４の実施の形態において、前記本発明の第３の実施の形態と主に異なる点は、一方の建物３の開口部３２の両端部の外壁躯体３ａ、３ａと目地部２を介して設けられた渡り通路３３の目地部側の左右の外壁躯体３ａ、３ａ間に設けるとともに、左右の補助目地プレート９Ｂ、９Ｂの先端部の上下端部より外方に突出する枢支ピン２８の挿入孔が形成された支持片２１ａ、２１ａにより左右の目地プレート６Ｂ、６Ｂの一端部を枢支した点で、このような部位に補助目地プレート４Ｂや左右の目地プレート６Ｂ、６Ｂを取付けた壁用目地装置１Ｃ、１Ｃにしても前記本発明の第３の実施の形態と同様な作用効果が得られる。
【００１９】
図１９ないし図２１に示す本発明の第５の実施の形態において、前記本発明の第１の実施の形態と主に異なる点は、補助目地プレート４の左右の補助目地プレート９、９の両先端部を常時当接状態を保つ補助目地プレート付勢機構３４と、一端部が左右の目地プレート６、６のほぼ中央部の背面に取付けられ、他端部が左右の補助目地プレート９、９のほぼ中央部にアイボルト等のガイド部材３５、３５を介して該ガイド部材３５、３５の下部位置の左右の補助目地プレート９、９に取付けられたスプリング３６、３６が介装された付勢杆３７、３７を取り付けた点で、このように構成した壁用目地装置１Ｄにしても、前記本発明の第１の実施の形態と同様な作用効果が得られるとともに、より確実に補助目地プレート４の左右の補助目地プレート９、９を補助目地プレート付勢機構３４で当接状態にでき、強風時でもプレートがバタつくのを確実に防止することができる。
なお、前記補助目地プレート付勢機構３４は一端部が左右の補助目地プレート９、９の一方のほぼ中央部に固定され、他端部が該固定部と対応する部位の他方の左右の補助目地プレート９、９に形成された貫通孔３８、該貫通孔３８近傍に取付けたガイドローラー３９を通過し、該ガイドローラー３９の下方部位の他方の左右の補助目地プレート９、９に取付けられたスプリング４０が介装された付勢杆４１とで構成されている。
【００２０】
図２２ないし図２４に示す本発明の第６の実施の形態において、前記本発明の第５の実施の形態と主に異なる点は、一端部が左右の目地プレート６、６のほぼ中央部の背面にそれぞれ取付けられ、他端部がストッパー７、７にそれぞれ２個取付けられたガイドローラー４２、４３、該ガイドローラー４３近傍の左右の補助目地プレート９、９に形成された貫通孔４４、４４、この出口側の貫通孔４４、４４近傍に取付けたガイドローラー４５、４５を通過し、該ガイドローラー４５、４５の下方部位の他方の左右の補助目地プレート９、９に取付けられたスプリング４６、４６が介装された付勢杆４７、４７とからなる補助目地プレート付勢機構３４Ａを用いた点で、このような補助目地プレート付勢機構３４Ａを用いて構成した壁用目地装置１Ｅにしても前記本発明の第５の実施の形態と同様な効果が得られる。
【００２１】
図２５ないし図２７に示す本発明の第７の実施の形態において、前記本発明の第６の実施の形態と主に異なる点は、左右の補助目地プレート９、９の後端部をスライド移動可能にした補助目地プレート４Ｃと、この補助目地プレート４Ｃの左右の補助目地プレート９、９の後端部を常時所定位置に位置させるように付勢する一端部が一方の左右の補助目地プレート９、９の後端部寄りの部位に固定され、該部と対応する他方の左右の補助目地プレート９、９部位に形成された透孔４８、該透孔４８近傍部位に取付けられたガイドローラー４９を通過して下部位置に固定されたスプリング５０を介装した付勢杆５１とからなる補助目地プレートの後端部の位置決め機構５２を設けた点で、このように構成した壁用目地装置１Ｆにしても前記本発明の第６の実施の形態と同様な効果が得られるとともに、スムーズに補助目地プレート４Ｃを移動させることができる。
【００２２】
図２８ないし図３０に示す本発明の第８の実施の形態において、前記本発明の第４の実施の形態と主に異なる点は、一方の建物３の開口部３２の両端部の外壁躯体３ａ、３ａに設置された該外壁躯体３ａ、３ａの開口端部側を覆うスライド移動可能なスライド移動体５３、５３に左右の目地プレート６Ｂ、６Ｂの他端部を支持部材２９、２９で枢支した点で、このように構成した壁用目地装置１Ｇにしても前記本発明の第４の実施の形態と同様な効果が得られるとともに、左右の目地プレート６Ｂ、６Ｂや補助目地プレート４Ｂをよりスムーズに移動させることができる。
【００２３】
図３１ないし図３３に示す本発明の第９の実施の形態において、前記本発明の第８の実施の形態と主に異なる点は、一方の建物３の開口部３２の両端部の外壁躯体３ａ、３ａの開口端部側の外壁面の下部位置に設けた支持レール５４、５４と上部位置に設けた支持片５５、５５によってスライド可能に取付けられた手摺枠としてのスライド移動体５３Ａ、５３Ａに手摺枠状に形成された左右の目地プレート６Ｃ、６Ｃの他端部をヒンジ部材１２Ａ、１２Ａで枢支するとともに、手摺枠状に形成された左右の補助目地プレート９Ｃ、９Ｃを用いた補助目地プレート４Ｄを用い、かつ左右の補助目地プレート９Ｃ、９Ｃの上部に補助目地プレート付勢機構３４Ｂを設けた点で、このように構成した壁用目地装置１Ｈにしても前記本発明の第８の実施の形態と同様な効果が得られる。
【００２４】
【発明の効果】
以上の説明から明らかなように、本発明にあっては次に列挙する効果が得られる。
【００２５】
（１）後端部が枢支され、先端部が左右方向に開放可能な補助目地プレートと、この補助目地プレートの両先端部に一端部が枢支され、他端部が左右の建物の目地部側の外壁躯体に枢支された、該補助目地プレート側が後方に位置する左右の目地プレートと、通常時には前記補助目地プレートの両先端部が当接した状態を保つように、該補助目地プレートの両先端部と前記左右の目地プレート間に設けられた少なくとも一対のストッパーと、前記補助目地プレートの先端部が開放した時に元の状態に自動的に戻すように付勢する一対の付勢スプリングとで構成されているので、地震等によって左右の建物が異なる左右方向に揺れ動いた場合、補助目地プレートの開放や左右の目地プレートの回動によって目地部がなくなる寸法から、目地部が２倍程になる揺れ動きを吸収することができる。
したがって、免震ビル等のように大きな揺れ動きを設定した部位に、安全に使用することができる。
【００２６】
（２）前記（１）によって、左右の目地プレートの中央部が後方に位置する状態で目地部を覆うとともに、補助目地プレートの先端部が開放しないようにストッパーで阻止することができる。
したがって、外側に突出物がなく、美観の向上を図ることができるとともに、風等による騒音の発生を効率よく防止することができる。
【００２７】
（３）前記（１）によって、構造が簡単で、覆う目地部の背面に大きなスペースがあれば楽に設置することができる。
【００２８】
（４）請求項２、３、４も前記（１）〜（３）と同様な効果が得られる。
【図面の簡単な説明】
【図１】本発明の第１の実施の形態の正面図。
【図２】本発明の第１の実施の形態の拡大平面図。
【図３】本発明の第１の実施の形態の背面図。
【図４】本発明の第１の実施の形態の補助目地プレートの説明図。
【図５】本発明の第１の実施の形態の左右の目地プレートの説明図。
【図６】本発明の第１の実施の形態の目地部が狭くなる動作説明図。
【図７】本発明の第１の実施の形態の目地部が広くなる動作説明図。
【図８】本発明の第１の実施の形態の異なる前後方向の動作説明図。
【図９】本発明の第２の実施の形態の正面図。
【図１０】本発明の第２の実施の形態の平面図。
【図１１】本発明の第２の実施の形態の目地部が広くなる動作説明図。
【図１２】本発明の第３の実施の形態の正面図。
【図１３】本発明の第３の実施の形態の平面図。
【図１４】本発明の第３の実施の形態の補助目地プレートの説明図。
【図１５】本発明の第３の実施の形態の左右の目地プレートの説明図。
【図１６】本発明の第４の実施の形態の平面図。
【図１７】本発明の第４の実施の形態の側面図。
【図１８】図１６の１８−１８線に沿う断面図。
【図１９】本発明の第５の実施の形態の平面図。
【図２０】本発明の第５の実施の形態の背面図。
【図２１】図１９の２１−２１線に沿う部分拡大断面図。
【図２２】本発明の第６の実施の形態の平面図。
【図２３】本発明の第６の実施の形態の背面図。
【図２４】図２２の２４−２４線に沿う部分拡大断面図。
【図２５】本発明の第７の実施の形態の平面図。
【図２６】本発明の第７の実施の形態の背面図。
【図２７】図２５の２７−２７線に沿う部分拡大断面図。
【図２８】本発明の第８の実施の形態の平面図。
【図２９】本発明の第８の実施の形態の側面図。
【図３０】図２８の３０−３０線に沿う断面図。
【図３１】本発明の第９の実施の形態の平面図。
【図３２】本発明の第９の実施の形態の側面図。
【図３３】図３１の３３−３３線に沿う断面図。
【符号の説明】
１、１Ａ、１Ｂ〜１Ｈ：壁用目地装置、
２：目地部、            ３：建物、
４、４Ａ、４Ｂ、４Ｃ、４Ｄ：補助目地プレート、
５：ヒンジ部材、
６、６Ａ、６Ｂ、６Ｃ：左右の目地プレート、
７：ストッパー、          ８：付勢スプリング、
９、９Ａ、９Ｂ、９Ｃ：左右の補助目地プレート、
１０：ヒンジ部材、
１１：左右の目地プレート本体、
１２、１２Ａ：ヒンジ部材、１３：軸受部、
１４：支持軸、            １５：軸、
１６：軸受部、            １７：支持部材、
１８：軸受部、            １９：バー部材、
２０：補強枠、            ２１：プレート、
２２：連結バー、          ２３：枢支ピン、
２４：バー部材、          ２５：補強枠、
２６：プレート、          ２７：支持片、
２８：枢支ピン、          ２９：支持部材、
３０：ビス、              ３１：枢支ピン、
３２：開口部、            ３３：渡り通路、
３４、３４Ａ、３４Ｂ：補助目地プレート付勢機構、
３５：ガイド部材、        ３６：スプリング、
３７：付勢杆、            ３８：貫通孔、
３９：ガイドローラー、    ４０：スプリング、
４１：付勢杆、            ４２：ガイドローラー、
４３：ガイドローラー、    ４４：貫通孔、
４５：ガイドローラー、    ４６：スプリング、
４７：付勢杆、            ４８：透孔、
４９：ガイドローラー、    ５０：スプリング、
５１：付勢杆、
５２：補助目地プレートの後端部の位置決め機構、
５３、５３Ａ：スライド移動体、
５４：支持レール、        ５５：支持片。
【図１】
2004360277.tif 000003
【図２】
2004360277.tif 000004
【図３】
2004360277.tif 000005
【図４】
2004360277.tif 000006
【図５】
2004360277.tif 000007
【図６】
2004360277.tif 000008
【図７】
2004360277.tif 000009
【図８】
2004360277.tif 000010
【図９】
2004360277.tif 000011
【図１０】
2004360277.tif 000012
【図１１】
2004360277.tif 000013
【図１２】
2004360277.tif 000014
【図１３】
2004360277.tif 000015
【図１４】
2004360277.tif 000016
【図１５】
2004360277.tif 000017
【図１６】
2004360277.tif 000018
【図１７】
2004360277.tif 000019
【図１８】
2004360277.tif 000020
【図１９】
2004360277.tif 000021
【図２０】
2004360277.tif 000022
【図２１】
2004360277.tif 000023
【図２２】
2004360277.tif 000024
【図２３】
2004360277.tif 000025
【図２４】
2004360277.tif 000026
【図２５】
2004360277.tif 000027
【図２６】
2004360277.tif 000028
【図２７】
2004360277.tif 000029
【図２８】
2004360277.tif 000030
【図２９】
2004360277.tif 000031
【図３０】
2004360277.tif 000032
【図３１】
2004360277.tif 000033
【図３２】
2004360277.tif 000034
【図３３】
2004360277.tif 000035